(57)【特許請求の範囲】
【請求項１】
端末装置であって、
受信品質に関する情報を、周期的に報告する第１のフィードバックモードと、非周期的に報告する第２のフィードバックモードとにより、基地局装置へ報告することが可能であり、
前記第１のフィードバックモードおよび前記第２のフィードバックモードの各々において、前記受信品質に関する情報として、好適なランクを指定するランク指標と、好適なプレコーダを指定する第１の部分プレコーダ情報および第２の部分プレコーダ情報と、好適な伝送レートを指定する受信品質指標と、を生成するための生成部と、
前記基地局装置と通信を行うための通信部とを備え、
前記好適なプレコーダは、前記第１の部分プレコーダ情報と前記第２の部分プレコーダ情報との組み合わせによって指定され、
前記通信部は、
前記第１のフィードバックモードにおいて、
前記第２の部分プレコーダ情報と前記受信品質指標とを第１のサブフレームで報告するとともに、前記ランク指標と前記第１の部分プレコーダ情報とを前記第１のサブフレームとは異なる第２のサブフレームで報告し、
前記第２のフィードバックモードにおいて、
前記ランク指標と前記第１の部分プレコーダ情報と前記第２の部分プレコーダ情報と前記受信品質指標とを同じサブフレームで報告する、端末装置。
【請求項２】
前記通信部は、前記第１のフィードバックモードと前記第２のフィードバックモードとの間で、前記受信品質指標の符号化処理の単位を切り替える、請求項１に記載の端末装置。
【請求項３】
前記通信部は、前記第１のフィードバックモードにおいて、前記第２の部分プレコーダ情報と前記受信品質指標とをまとめて符号化し、前記ランク指標と前記第１の部分プレコーダ情報とをまとめて符号化する、請求項１または２に記載の端末装置。
【請求項４】
前記通信部は、前記第２のフィードバックモードにおいて、前記第２の部分プレコーダ情報と前記受信品質指標とをまとめて符号化し、前記ランク指標と前記第１の部分プレコーダ情報とを個別に符号化する、請求項１〜３のいずれか１項に記載の端末装置。
【請求項５】
前記通信部は、前記第２のフィードバックモードにおいて、前記第１の部分プレコーダ情報と前記第２の部分プレコーダ情報と前記受信品質指標とをまとめて符号化する、請求項１〜４のいずれか１項に記載の端末装置。
【請求項６】
基地局装置であって、
端末装置における受信品質に関する情報を、周期的に前記端末装置が報告する第１のフィードバックモードと、非周期的に前記端末装置が報告する第２のフィードバックモードとを、前記端末装置に設定することが可能であり、
前記第１のフィードバックモードおよび前記第２のフィードバックモードの各々において、前記受信品質に関する情報として、好適なランクを指定するランク指標と、好適なプレコーダを指定する第１の部分プレコーダ情報および第２の部分プレコーダ情報と、好適な伝送レートを指定する受信品質指標と、を前記端末装置から受信するにあたり、
前記第１のフィードバックモードを設定した場合、前記端末装置に対して、前記第２の部分プレコーダ情報と前記受信品質指標とを第１のサブフレームで報告するリソースと、前記ランク指標と前記第１の部分プレコーダ構報とを、前記第１のサブフレームとは異なる第２のサブフレームで報告するリソースとを割り当て、
前記第２のフィードバックモードを設定した場合、前記端末装置に対して、前記ランク指標と前記第１の部分プレコーダ情報と前記第２の部分プレコーダ情報と前記受信品質指標とを同時に報告するリソースを割り当てる、基地局装置。
【請求項７】
前記端末装置からの情報を抽出するための抽出部をさらに備え、前記抽出部は、
前記第１のフィードバックモードを設定した場合、第１のタイミングで前記第２の部分プレコーダ情報と前記受信品質指標を抽出し、第２のタイミングで前記ランク指標と前記第１の部分プレコーダ情報とを抽出し、
前記第２のフィードバックモードを設定した場合、前記ランク指標と前記第１の部分プレコーダ情報と前記第２の部分プレコーダ情報と前記受信品質指標とを同時に抽出する、請求項６に記載の基地局装置。
【請求項８】
前記第１のフィードバックモードと前記第２のフィードバックモードとで、復号化処理の単位を切り替える、請求項６に記載の基地局装置。
【請求項９】
基地局装置と、前記基地局装置と通信を行う端末装置とを含む通信システムであって、
前記基地局装置は、
前記端末装置における受信品質に関する情報を、周期的に前記端末装置が報告する第１のフィードバックモードと、非周期的に前記端末装置が報告する第２のフィードバックモードとを、前記端末装置に設定することが可能であり、
前記第１のフィードバックモードおよび前記第２のフィードバックモードの各々において、前記受信品質に関する情報として、好適なランクを指定するランク指標と、好適なプレコーダを指定する第１の部分プレコーダ情報および第２の部分プレコーダ情報と、好適な伝送レートを指定する受信品質指標と、を前記端末装置から受信するに当たり、
前記第１のフィードバックモードを設定した場合、前記端末装置に対して、前記第２の部分プレコーダ情報と前記受信品質指標とを第１のサブフレームで報告するリソースと、前記ランク指標と前記第１の部分プレコーダ構報とを、前記第１のサブフレームとは異なる第２のサブフレームで報告するリソースとを割り当て、
前記端末装置は、
前記第１のフィードバックモードにおいて、
前記第２の部分プレコーダ情報と前記受信品質指標とを第１のサブフレームで報告するとともに、前記ランク指標と前記第１の部分プレコーダ情報とを前記第１のサブフレームとは異なる第２のサブフレームで報告し、
前記第２のフィードバックモードにおいて、
前記ランク指標と前記第１の部分プレコーダ情報と前記第２の部分プレコーダ情報と前記受信品質指標とを同じサブフレームで報告する、通信システム。
【請求項１０】
端末装置における処理方法であって、
前記端末装置が受信品質に関する情報を、周期的に報告する第１のフィードバックモードと、非周期的に報告する第２のフィードバックモードとにより、基地局装置へ報告する際に、前記端末装置が、前記第１のフィードバックモードおよび前記第２のフィードバックモードの各々において、前記受信品質に関する情報として、好適なランクを指定するランク指標と、好適なプレコーダを指定する第１の部分プレコーダ情報および第２の部分プレコーダ情報と、好適な伝送レートを指定する受信品質指標と、を生成し、
前記好適なプレコーダは、前記第１の部分プレコーダ情報と前記第２の部分プレコーダ情報との組み合わせによって指定され、
前記第１のフィードバックモードにおいて、
前記第２の部分プレコーダ情報と前記受信品質指標とを第１のサブフレームで報告するとともに、前記ランク指標と前記第１の部分プレコーダ情報とを前記第１のサブフレームとは異なる第２のサブフレームで報告し、
前記第２のフィードバックモードにおいて、
前記ランク指標と前記第１の部分プレコーダ情報と前記第２の部分プレコーダ情報と前記受信品質指標とを同じサブフレームで報告する、処理方法。
【請求項１１】
基地局装置における処理方法であって、
端末装置における受信品質に関する情報を、周期的に前記端末装置が報告する第１のフィードバックモードと、非周期的に前記端末装置が報告する第２のフィードバックモードとを、前記基地局装置が前記端末装置に設定することが可能であり、
前記第１のフィードバックモードおよび前記第２のフィードバックモードの各々において、前記受信品質に関する情報として、好適なランクを指定するランク指標と、好適なプレコーダを指定する第１の部分プレコーダ情報および第２の部分プレコーダ情報と、好適な伝送レートを指定する受信品質指標と、を前記端末装置から受信するにあたり、
前記第１のフィードバックモードを設定した場合、前記端末装置に対して、前記第２の部分プレコーダ情報と前記受信品質指標とを第１のサブフレームで報告するリソースと、前記ランク指標と前記第１の部分プレコーダ構報とを、前記第１のサブフレームとは異なる第２のサブフレームで報告するリソースとを割り当て、
前記第２のフィードバックモードを設定した場合、前記端末装置に対して、前記ランク指標と前記第１の部分プレコーダ情報と前記第２の部分プレコーダ情報と前記受信品質指標とを同時に報告するリソースを割り当てる、処理方法。
【請求項１２】
端末装置であって、
受信品質に関する情報を、周期的に報告する第１のフィードバックモードと、非周期的に報告するフィードバックモードであって前記第１のフィードバックモードより大きな情報量を送信できる第２のフィードバックモードと、により報告することが可能であり、
前記第１のフィードバックモードおよび前記第２のフィードバックモードの各々において、前記受信品質に関する情報として、好適なランクを指定するランク指標と、好適なプレコーダを指定する第１の部分プレコーダ情報および第２の部分プレコーダ情報と、好適な伝送レートを指定する受信品質指標と、を生成するための生成部と、
基地局装置と通信を行うための通信部とを備え、
前記好適なプレコーダは、前記第１の部分プレコーダ情報と前記第２の部分プレコーダ情報との組み合わせによって指定され、
前記通信部は、
前記第１のフィードバックモードでは、前記第１の部分プレコーダ情報を前記ランク指標とともに符号化して送信し、
前記第２のフィードバックモードでは、前記第１の部分プレコーダ情報を前記第２の部分プレコーダ情報および前記受信品質指標とともに符号化して送信する、端末装置。
【請求項１３】
端末装置における処理方法であって、
前記端末装置が基地局装置に受信品質に関する情報を、周期的に報告する第１のフィードバックモードと、非周期的に報告するフィードバックモードであって前記第１のフィードバックモードより大きな情報量を送信できる第２のフィードバックモードと、により報告することが可能であり、
前記第１のフィードバックモードおよび前記第２のフィードバックモードの各々において、前記受信品質に関する情報として、好適なランクを指定するランク指標と、好適なプレコーダを指定する第１の部分プレコーダ情報および第２の部分プレコーダ情報と、好適な伝送レートを指定する受信品質指標と、を生成し、
前記好適なプレコーダは、前記第１の部分プレコーダ情報と前記第２の部分プレコーダ情報との組み合わせによって指定され、
前記第１のフィードバックモードでは、前記第１の部分プレコーダ情報を前記ランク指標と共に符号化して送信し、
前記第２のフィードバックモードでは、前記第１の部分プレコーダ情報を前記第２の部分プレコーダ情報および前記受信品質指標とともに符号化して送信する、処理方法。
【請求項１４】
基地局装置であって、
端末装置における受信品質に関する情報を、周期的に前記端末装置が報告する第１のフィードバックモードと、非周期的に前記端末装置が報告する第２のフィードバックモードとを、前記端末装置に設定することが可能であり、
前記第１のフィードバックモードおよび前記第２のフィードバックモードの各々において、前記受信品質に関する情報として、好適なランクを指定するランク指標と、好適なプレコーダを指定する第１の部分プレコーダ情報および第２の部分プレコーダ情報と、好適な伝送レートを指定する受信品質指標と、を前記端末装置から受信するにあたり、
前記第１のフィードバックモードでは、前記第１の部分プレコーダ情報を前記ランク指標とともに符号化して送信するリソースを割り当て、
前記第２のフィードバックモードでは、前記第１の部分プレコーダ情報を前記第２の部分プレコーダ情報および前記受信品質指標とともに符号化して送信するリソースを割り当てる、基地局装置。
【請求項１５】
基地局装置における処理方法であって、
端末装置における受信品質に関する情報を、周期的に前記端末装置が報告する第１のフィードバックモードと、非周期的に前記端末装置が報告する第２のフィードバックモードとを、前記基地局装置が前記端末装置に設定することが可能であり、
前記第１のフィードバックモードおよび前記第２のフィードバックモードの各々において、前記受信品質に関する情報として、好適なランクを指定するランク指標と、好適なプレコーダを指定する第１の部分プレコーダ情報および第２の部分プレコーダ情報と、好適な伝送レートを指定する受信品質指標と、を前記基地局装置が前記端末装置から受信するにあたり、前記基地局装置は、
前記第１のフィードバックモードでは、前記第１の部分プレコーダ情報を前記ランク指標と共に符号化して送信するリソースを割り当て、
前記第２のフィードバックモードでは、前記第１の部分プレコーダ情報は前記第２の部分プレコーダ情報および前記受信品質指標とともに符号化して送信するリソースを割り当てる、処理方法。
【発明の詳細な説明】
【技術分野】
【０００１】
本発明は、端末装置、基地局装置、通信システムおよび通信方法に関する。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）によるＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）やＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のような移動無線通信システムでは、基地局装置（基地局、送信局、下りリンク送信装置、上りリンク受信装置、ｅＮｏｄｅＢ）あるいは基地局に準じる送信局がカバーするエリアをセル（Ｃｅｌｌ）状に複数配置するセルラー構成とすることにより、通信エリアを拡大することができる。また、隣接するセル間またはセクタ間で異なる周波数を用いることでセル端（セルエッジ）領域またはセクタ端領域にいる端末装置（移動局、受信局、上りリンク送信装置、下りリンク受信装置、移動端末、ＵＥ；Ｕｓｅｒ  Ｅｑｕｉｐｍｅｎｔ）でも、複数の基地局からの送信信号の干渉を受けることなく通信を行うことができるが、周波数利用効率が低いという問題があった。一方、隣接するセルまたはセクタ間で同一周波数を利用することで、周波数利用効率を向上させることができるが、セル端領域にいる端末装置に対する干渉の対策が必要となる。
【０００３】
また、基地局と端末装置との間の伝送路状況に応じて、変調方式および符号化率（ＭＣＳ；  Ｍｏｄｕｌａｔｉｏｎ  ａｎｄ  Ｃｏｄｉｎｇ  Ｓｃｈｅｍｅ）や空間多重数（レイヤー数、ランク）やプレコーダ（プリコーダ）などを適応的に制御することで、より効率的なデータ伝送を実現することができる。非特許文献１ではこれらの制御を行う方法が示されている。
【０００４】
図２６はＬＴＥにおいてプレコーダを適応的に制御する基地局２６０１と端末装置２６０２を示す図である。ＬＴＥにおいて、送信される下りリンク送信下りリンク送信信号２６０３に対してプレコーダを適応的に制御するに際し、端末装置２６０２は基地局２６０１から送信される下りリンク送信下りリンク送信信号２６０３に含まれる下りリンク参照信号（ＲＳ：Ｒｅｆｅｒｅｎｃｅ  Ｓｉｇｎａｌ）を参照して、好適な空間多重数を指定するランク指標ＲＩ（Ｒａｎｋ  Ｉｎｄｉｃａｔｏｒ）、好適なプレコーダを指定するプレコーディング行列情報ＰＭＩ（Ｐｒｅｃｏｄｉｎｇ  Ｍａｔｒｉｘ  Ｉｎｄｉｃａｔｏｒ）好適な伝送レートを指定するチャネル品質指標ＣＱＩ（Ｃｈａｎｎｅｌ  Ｑｕａｌｉｔｙ  Ｉｎｄｉｃａｔｏｒ）を計算し、上りリンクのチャネル２６０４を介して基地局２６０１に報告する。非特許文献１では、プレコーダ情報を周期的に報告するフィードバックモードに関して記載されている。プレコーダ情報を報告するフィードバックモードが設定された端末装置は、所定の複数のプレコーディング行列のテーブルであるコードブックを用い、コードブックの中の好適なプレコーディング行列に対応するインデクスであるＰＭＩを計算して報告する。
【先行技術文献】
【非特許文献】
【０００５】
【非特許文献１】３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；Ｐｈｙｓｉｃａｌ  ｌａｙｅｒ  ｐｒｏｃｅｄｕｒｅｓ  （Ｒｅｌｅａｓｅ  ８）、２００８年１２月、３ＧＰＰ  ＴＳ  ３６．２１３  Ｖ８．８．０  （２００９−９）
【発明の概要】
【発明が解決しようとする課題】
【０００６】
しかしながら、従来の通信方式では、一つのコードブックに規定されたプレコーディング行列を示す情報しか報告できず、適切なプレコーダの指定および適用が困難であり、伝送効率の向上を妨げる要因となっていた。
【０００７】
本発明は、上記問題を鑑みてなされたものであり、その目的は、複数の部分プレコーダ情報を用いた効率的なプレコーダ情報の指定および適用を行なうことができる端末装置、基地局装置、通信システムおよび通信方法を提供することにある。
【課題を解決するための手段】
【０００８】
（１）この発明は上述した課題を解決するためになされたもので、本発明の一態様による端末装置は、基地局装置と通信を行う端末装置であって、好適なランクを指定するランク指標と、好適なプレコーダを指定する第１の部分プレコーダ情報および第１の部分プレコーダ情報と、好適な伝送レートを指定する受信品質指標とを生成し、周期的に前記基地局装置に受信品質情報を報告する第１のフィードバックモードにおいて、前記第２の部分プレコーダ情報と前記受信品質指標とを第１のタイミングで報告し、前記ランク指標と前記第１の部分プレコーダ情報とを前記第１のタイミングとは異なる第２のタイミングで報告し、非周期的に前記基地局装置に受信品質情報を報告する第２のフィードバックモードにおいて、前記ランク指標と前記第１の部分プレコーダ情報と前記第２の部分プレコーダ情報と前記受信品質指標とを同じタイミングで報告することを特徴とする。
【０００９】
（２）また、本発明の一態様による端末装置は上記の端末装置であって、前記第１のフィードバックモードと前記第２のフィードバックモードで、受信品質情報の符号化処理の単位を切り替えることを特徴とする。
【００１０】
（３）また、本発明の一態様による端末装置は上記の端末装置であって、前記第１のフィードバックモードにおいて、前記第２の部分プレコーダ情報と前記受信品質指標とをまとめて符号化し、前記ランク指標と前記第１の部分プレコーダ情報とをまとめて符号化することを特徴とする。
【００１１】
（４）また、本発明の一態様による端末装置は上記の端末装置であって、前記第２のフィードバックモードにおいて、前記第２の部分プレコーダ情報と前記受信品質指標とをまとめて符号化し、前記ランク指標と前記第１の部分プレコーダ情報とを個別に符号化することを特徴とする。
【００１２】
（５）また、本発明の一態様による端末装置は上記の端末装置であって、前記第１のフィードバックモードにおいて、前記第２の部分プレコーダ情報と前記受信品質指標とをまとめて符号化し、前記ランク指標と前記第１の部分プレコーダ情報とを個別に符号化することを特徴とする。
【００１３】
（６）また、本発明の一態様による端末装置は上記の端末装置であって、前記第２のフィードバックモードにおいて、前記第１の部分プレコーダ情報と前記第２の部分プレコーダ情報と前記受信品質指標とをまとめて符号化し、前記ランク指標を符号化することを特徴とする。
【００１４】
（７）また、本発明の一態様による端末装置は上記の端末装置であって、前記第２のフィードバックモードにおいて、前記第１の部分プレコーダ情報と前記第２の部分プレコーダ情報とを異なる並べ替えアルゴリズムを用いて並べ替えることを特徴とする。
【００１５】
（８）また、本発明の一態様による端末装置は上記の端末装置であって、前記第２のフィードバックモードにおいて、前記第１の部分プレコーダ情報と前記第２の部分プレコーダ情報とを異なる空間多重数で報告することを特徴とする。
【００１６】
（９）また、本発明の一態様による基地局装置は、端末装置と通信を行う基地局装置であって、前記端末装置に対して、好適なランクを指定するランク指標と、好適なプレコーダを指定する第１の部分プレコーダ情報および第１の部分プレコーダ情報と、好適な伝送レートを指定する受信品質指標とを含む受信品質情報を周期的に報告する第１のフィードバックモード、または非周期的に受信品質情報を報告する第２のフィードバックモードを設定し、第１のフィードバックモードを設定した場合、前記端末装置に対して、前記第２の部分プレコーダ情報と前記受信品質指標とを報告する第１のタイミングと、前記第１のタイミングとは異なるタイミングであって、前記ランク指標と前記第１の部分プレコーダ情報とを報告する第２のタイミングとを設定し、第２のフィードバックモードを設定した場合、前記ランク指標と前記第１の部分プレコーダ情報と前記第２の部分プレコーダ情報と前記受信品質指標とを同時に報告するリソースを割り当てることを特徴とする。
【００１７】
（１０）また、本発明の一態様による基地局装置は上記の基地局装置であって、前記第１のフィードバックモードを設定した場合、前記第１のタイミングで前記第２の部分プレコーダ情報と前記受信品質指標を抽出し、前記第２のタイミングで前記ランク指標と前記第１の部分プレコーダ情報とを抽出し、前記第２のフィードバックモードを設定した場合、前記ランク指標と前記第１の部分プレコーダ情報と前記第２の部分プレコーダ情報と前記受信品質指標とを同時に抽出することを特徴とする。
【００１８】
（１１）また、本発明の一態様による基地局装置は上記の基地局装置であって、前記第１のフィードバックモードと前記第２のフィードバックモードで、受信品質情報の復号化処理の単位を切り替えることを特徴とする。
【００１９】
（１２）また、本発明の一態様による通信システムは、基地局装置と端末装置との間で通信を行う通信システムであって、前記基地局装置は、前記端末装置に対して、好適なランクを指定するランク指標と、好適なプレコーダを指定する第１の部分プレコーダ情報および第１の部分プレコーダ情報と、好適な伝送レートを指定する受信品質指標とを含む受信品質情報を周期的に報告する第１のフィードバックモード、または非周期的に受信品質情報を報告する第２のフィードバックモードを設定し、第１のフィードバックモードを設定した場合、前記端末装置に対して、前記第２の部分プレコーダ情報と前記受信品質指標とを報告する第１のタイミングと、前記第１のタイミングとは異なるタイミングであって、前記ランク指標と前記第１の部分プレコーダ情報とを報告する第２のタイミングとを設定し、第２のフィードバックモードを設定した場合、前記ランク指標と前記第１の部分プレコーダ情報と前記第２の部分プレコーダ情報と前記受信品質指標とを同時に報告するリソースを割り当て、前記端末装置は、第１のフィードバックモードにおいて、前記第２の部分プレコーダ情報と前記受信品質指標とを前記第１のタイミングで報告し、前記ランク指標と前記第１の部分プレコーダ情報とを前記第２のタイミングで報告し、第２のフィードバックモードにおいて、前記ランク指標と前記第１の部分プレコーダ情報と前記第２の部分プレコーダ情報と前記受信品質指標とを前記リソースを用いて報告することを特徴とする。
【００２０】
（１３）また、本発明の一態様による通信方法は、基地局装置と通信を行う端末装置における通信方法であって、好適なランクを指定するランク指標と、好適なプレコーダを指定する第１の部分プレコーダ情報および第１の部分プレコーダ情報と、好適な伝送レートを指定する受信品質指標とを生成する第１のステップと、周期的に前記基地局装置に受信品質情報を報告する第１のフィードバックモードにおいて、前記第２の部分プレコーダ情報と前記受信品質指標とを第１のタイミングで報告し、前記ランク指標と前記第１の部分プレコーダ情報とを前記第１のタイミングとは異なる第２のタイミングで報告する第２のステップと、非周期的に前記基地局装置に受信品質情報を報告する第２のフィードバックモードにおいて、前記ランク指標と前記第１の部分プレコーダ情報と前記第２の部分プレコーダ情報と前記受信品質指標とを同じタイミングで報告する第３のステップとを有することを特徴とする。
【００２１】
（１４）また、本発明の一態様による通信方法は、端末装置と通信を行う基地局装置における通信方法であって、前記端末装置に対して、好適なランクを指定するランク指標と、好適なプレコーダを指定する第１の部分プレコーダ情報および第１の部分プレコーダ情報と、好適な伝送レートを指定する受信品質指標とを含む受信品質情報を周期的に報告する第１のフィードバックモード、または非周期的に受信品質情報を報告する第２のフィードバックモードを設定する第１のステップと、第１のフィードバックモードを設定した場合、前記端末装置に対して、前記第２の部分プレコーダ情報と前記受信品質指標とを報告する第１のタイミングと、前記第１のタイミングとは異なるタイミングであって、前記ランク指標と前記第１の部分プレコーダ情報とを報告する第２のタイミングとを設定する第２のステップと、第２のフィードバックモードを設定した場合、前記ランク指標と前記第１の部分プレコーダ情報と前記第２の部分プレコーダ情報と前記受信品質指標とを同時に報告するリソースを割り当てる第３のステップとを有することを特徴とする。
【発明の効果】
【００２２】
この発明によれば、複数の部分プレコーダ情報を用いた効率的なプレコーダ情報の指定および適用を行なうことができる。
【図面の簡単な説明】
【００２３】
【図１】本発明の第１の実施形態における通信システムの構成を示す概略構成図である。
【図２】同実施形態における下りリンクの無線フレーム構成の一例を示す図である。
【図３】同実施形態における上りリンクの無線フレーム構成の一例を示す図である。
【図４】同実施形態における基地局装置のブロック構成の一例を示す概略図である。
【図５】同実施形態における端末装置のブロック構成の一例を示す概略図である。
【図６】同実施形態における部分プレコーダ情報のコードブックの一例を示す図である。
【図７】同実施形態における部分プレコーダ情報のコードブックの一例を示す図である。
【図８】同実施形態におけるプレコーディング処理の概念図である。
【図９】同実施形態におけるプロシージャの一例を示す図である。
【図１０】同実施形態におけるフィードバックモードの一例を示す図である。
【図１１】同実施形態におけるフィードバック情報生成部の内部処理の一例を示す図である。
【図１２】同実施形態におけるフィードバック情報生成部の内部処理の他の一例を示す図である。
【図１３】同実施形態におけるランクと部分プレコーダの組み合わせを指定するためのテーブルを示す概略図である。
【図１４】同実施形態におけるプロシージャの一例を示す概略図である。
【図１５】同実施形態におけるシンボル系列の並び替えとマッピングの一例を示す図である。
【図１６】同実施形態におけるシンボル系列の並び替えとマッピングの他の一例を示す図である。
【図１７】本発明の第２の実施形態におけるフィードバック情報生成部の内部処理の一例を示す図である。
【図１８】同実施形態におけるシンボル系列の並び替えとマッピングの一例を示す図である。
【図１９】同実施形態におけるシンボル系列の並び替えとマッピングの他の一例を示す図である。
【図２０】同実施形態におけるシンボル系列の並び替えとマッピングの他の一例を示す図である。
【図２１】本発明の第３の実施形態におけるフィードバック情報生成部の内部処理の一例を示す図である。
【図２２】同実施形態におけるシンボル系列の並び替えとマッピングの一例を示す図である。
【図２３】同実施形態におけるシンボル系列の並び替えとマッピングの他の一例を示す図である。
【図２４】本発明の第４の実施形態におけるセル構成の一例を示す図である。
【図２５】同実施形態におけるセル構成の他の一例を示す図である。
【図２６】通信システムの構成を示す概略構成図である。
【発明を実施するための形態】
【００２４】
（第１の実施形態）
以下、図面を参照して、本発明の第１の実施形態について説明する。
【００２５】
図１は本発明の第１の実施形態における通信システムの構成を示す概略構成図である。同図の通信システムはＬＴＥ−Ａシステムを想定しており、セルを構成する基地局装置（基地局、送信局、下りリンク送信装置、上りリンク受信装置、ｅＮｏｄｅＢ）１０１と端末装置（移動局、受信局、上りリンク送信装置、下りリンク受信装置、移動端末、ＵＥ；Ｕｓｅｒ  Ｅｑｕｉｐｍｅｎｔ）１０２とを含んで構成される。送信される下りリンク送信信号１０３に対してプレコーダを適応的に制御するに際し、端末装置１０２は基地局１０１から送信される下りリンク送信信号１０３に含まれる下りリンク参照信号（ＲＳ：Ｒｅｆｅｒｅｎｃｅ  Ｓｉｇｎａｌ）を参照して、好適な空間多重数を指定するランク指標ＲＩ（Ｒａｎｋ  Ｉｎｄｉｃａｔｏｒ）、好適なプレコーダ（Ｐｒｅｆｅｒｒｅｄ  Ｐｒｅｃｏｄｅｒ）を指定する複数の部分プレコーダ情報ＰＩ（Ｐｒｅｃｏｄｅｒ  Ｉｎｆｏｒｍａｔｉｏｎ）、および好適な伝送レート（変調方式・符号化率・トランスポートブロックの長さなど）を指定するチャネル品質指標ＣＱＩ（Ｃｈａｎｎｅｌ  Ｑｕａｌｉｔｙ  Ｉｎｄｉｃａｔｏｒ）を計算し、上りリンクのチャネル１０４を介して、それぞれ基地局１０１に報告する。ここでは、部分プレコーダ情報ＰＩとして、部分プレコーダ情報１（ＰＩ１、第１の部分プレコーダ情報）および部分プレコーダ情報２（ＰＩ２、第２の部分プレコーダ情報）を報告する場合について説明する。好適なプレコーダとしては、例えば、下りリンクの伝搬路を考慮した上で、下りリンクの受信信号電力が大きくなるようなプレコーダを算出するという方法などを用いることができる。
【００２６】
図２は、本実施形態に係る下りリンクの無線フレーム構成の一例を示している。下りリンクはＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）アクセス方式が用いられる。下りリンクでは、物理下りリンク制御チャネル（ＰＤＣＣＨ；Ｐｈｙｓｉｃａｌ  Ｄｏｗｎｌｉｎｋ  Ｃｏｎｔｒｏｌ  Ｃｈａｎｎｅｌ）、物理下りリンク共用チャネル（ＰＤＳＣＨ；Ｐｈｙｓｉｃａｌ  Ｄｏｗｎｌｉｎｋ  Ｓｈａｒｅｄ  Ｃｈａｎｎｅｌ）などが割り当てられる。また、ＰＤＳＣＨの一部に下りリンク参照信号（ＲＳ；Ｒｅｆｅｒｅｎｃｅ  Ｓｉｇｎａｌ）が多重される。下りリンクの無線フレームは、下りリンクのリソースブロック（ＲＢ；Ｒｅｓｏｕｒｃｅ  Ｂｌｏｃｋ）ペアから構成されている。この下りリンクのＲＢペアは、下りリンクの無線リソースの割り当てなどの単位であり、予め決められた幅の周波数帯（ＲＢ帯域幅）及び時間帯（２個のスロット＝１個のサブフレーム）からなる。１個の下りリンクのＲＢペアは、時間領域で連続する２個の下りリンクのＲＢ（ＲＢ帯域幅×スロット）から構成される。１個の下りリンクのＲＢは、周波数領域において１２個のサブキャリアから構成され、時間領域において７個のＯＦＤＭシンボルから構成される。物理下りリンク制御チャネルは、端末装置識別子、下りリンク共用チャネルのスケジューリング情報、上りリンク共用チャネルのスケジューリング情報、変調方式、符号化率、再送パラメータなどの下りリンク制御情報が送信される物理チャネルである。
【００２７】
図３は、本実施形態に係る上りリンクの無線フレーム構成の一例を示している。上りリンクはＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）方式が用いられる。上りリンクでは、物理上りリンク共用チャネル（Ｐｈｙｓｉｃａｌ  Ｕｐｌｉｎｋ  Ｓｈａｒｅｄ  Ｃｈａｎｎｅｌ；ＰＵＳＣＨ）、物理上りリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）などが割り当てられる。また、ＰＵＳＣＨやＰＵＣＣＨの一部に、上りリンク参照信号が割り当てられる。上りリンクの無線フレームは、上りリンクのＲＢペアから構成されている。この上りリンクのＲＢペアは、上りリンクの無線リソースの割り当てなどの単位であり、予め決められた幅の周波数帯（ＲＢ帯域幅）及び時間帯（２個のスロット＝１個のサブフレーム）からなる。１個の上りリンクのＲＢペアは、時間領域で連続する２個の上りリンクのＲＢ（ＲＢ帯域幅×スロット）から構成される。１個の上りリンクのＲＢは、周波数領域において１２個のサブキャリアから構成され、時間領域において７個のＳＣ−ＦＤＭＡシンボルから構成される。
【００２８】
図４は、本実施形態に係る基地局装置のブロック構成の一例を示す概略図である。基地局装置は、下りリンクサブフレーム生成部４０１、ＯＦＤＭ信号送信部４０４、送信アンテナ（基地局送信アンテナ）４０５、受信アンテナ（基地局受信アンテナ）４０６、ＳＣ−ＦＤＭＡ信号受信部４０７、フィルタ部４０８、コードワード処理部４１２、上位層４１３を有する。下りリンクサブフレーム生成部４０１は、物理下りリンク制御チャネル生成部４０２、下りリンク参照信号生成部４０３を有する。フィルタ部４０８はフィードバック情報抽出部４０９を有する。
【００２９】
図５は、本実施形態に係る端末装置のブロック構成の一例を示す概略図である。端末装置は、受信アンテナ（端末受信アンテナ）５０１、ＯＦＤＭ信号受信部５０２、下りリンクサブフレーム処理部５０３、上位層５０６、フィードバック情報生成部５０７、コードワード生成部５０８、上りリンクサブフレーム生成部５０９、ＳＣ−ＦＤＭＡ信号送信部５１１、送信アンテナ（端末送信アンテナ）５１２を有する。下りリンクサブフレーム処理部５０３は、下りリンク参照信号抽出部５０４、物理下りリンク制御チャネル抽出部５０５を有する。上りリンクサブフレーム生成部５０９は、上りリンク参照信号生成部５１０を有する。
【００３０】
まず、図４および図５を用いて、下りリンクの送受信の流れについて説明する。基地局装置では、上位層４１３から送られてくるコードワード（物理層における送信データ系列）毎の送信データ（トランスポートブロックとも称す）は、下りリンクサブフレーム生成部４０１において、誤り訂正符号化、レートマッチング処理、ＰＳＫ（Ｐｈａｓｅ  Ｓｈｉｆｔ  Ｋｅｙｉｎｇ）変調やＱＡＭ（Ｑｕａｄｒａｔｕｒｅ  Ａｍｐｌｉｔｕｄｅ  Ｍｏｄｕｌａｔｉｏｎ）変調などの変調処理により、変調シンボル系列に変換される。変調シンボル系列は、変調シンボル系列のマッピング単位であるリソースエレメント（ＲＥ；Ｒｅｓｏｕｒｃｅ  ｅｌｅｍｅｎｔ）にマッピングされ、上位層により指示されたプレコーダによりプレコーディング処理が施される。なお、下りリンクにおけるＲＥは、各ＯＦＤＭシンボル上の各サブキャリアに対応して規定される。このとき、上位層４１３から送られてくる送信データ系列は、ＲＲＣ（Ｒａｄｉｏ  Ｒｅｓｏｕｒｃｅ  Ｃｏｎｔｒｏｌ）シグナリング用の制御データを含む。また、物理下りリンク制御チャネル生成部４０２では、上位層４１３の指示により、物理下りリンク制御チャネルが生成される。ここで、物理下りリンク制御チャネルに含まれる制御情報は、下りリンクにおける送信パラメータ、上りリンクのリソース割り当て・上りリンクの送信パラメータ・ＣＱＩリクエストなどの情報を含む。下りリンク参照信号生成部４０３は、下りリンク参照信号ＤＬＲＳ（Ｄｏｗｎ  Ｌｉｎｋ  Ｒｅｆｅｒｅｎｃｅ  Ｓｉｇｎａｌ）が生成される。下りリンクサブフレーム生成部４０１は、物理下りリンク制御チャネルとＤＬＲＳとを、下りリンクサブフレーム内のＲＥにマッピングする。下りリンクサブフレーム生成部４０１で生成された下りリンクサブフレームは、ＯＦＤＭ信号送信部４０４においてＯＦＤＭ信号に変調され、送信アンテナ４０５を介して送信される。
【００３１】
端末装置では、受信アンテナ５０１を介して、ＯＦＤＭ信号受信部５０２においてＯＦＤＭ信号が受信され、ＯＦＤＭ復調処理が施される。下りリンクサブフレーム処理部５０３は、受信した下りリンクサブフレームから受信データを抽出して上位層５０６に送る。より具体的には、下りリンクサブフレーム生成部４０１における変調処理、レートマッチング処理、誤り訂正符号化に対応する復調処理、レートマッチング処理、誤り訂正復号化などが施される。下りリンク参照信号抽出部５０４は、下りリンク参照信号生成部４０３において生成され、下りリンクサブフレーム生成部４０１においてマッピングされたＤＬＲＳを抽出し、フィードバック情報生成部５０７に送る。物理下りリンク制御チャネル抽出部５０５は、物理下りリンク制御チャネル生成部４０２において生成され、下りリンクサブフレーム生成部４０１においてマッピングされた物理下りリンク制御チャネルに含まれる制御情報を抽出し、上位層５０６に送る。
【００３２】
次に、図４および図５を用いて、上りリンクの送受信の流れについて説明する。端末装置では、上位層５０６から送られてくるコードワード毎の送信データ（トランスポートブロックとも称す）は、コードワード生成部５０８において、誤り訂正符号化、レートマッチング処理などの処理により、コードワードＣＷ（Ｃｏｄｅ  Ｗｏｒｄ）に変換される。フィードバック情報生成部５０７は、上位層５０６の指示に従い、下りリンク参照信号抽出部５０７で抽出されたＤＬＲＳを用いて、ＲＩ・ＰＩ１・ＰＩ２・ＣＱＩなどの符号化してフィードバック情報を生成する。上りリンク参照信号生成部５１０は、上りリンク参照信号ＵＬＲＳ（ＵｐＬｉｎｋ  Ｒｅｆｅｒｅｎｃｅ  Ｓｉｇｎａｌ）を生成する。上りリンクサブフレーム生成部５０９は、コードワード変調シンボル系列とフィードバック情報とを所定の方法で並び替えた後、上りリンク参照信号とともに、上りリンクサブフレームにマッピングする。ＳＣ−ＦＤＭＡ信号送信部５１１は、上りリンクサブフレームにＳＣ−ＦＤＭＡ変調を施してＳＣ−ＦＤＭＡ信号を生成し、送信アンテナ５１２を介して送信する。
【００３３】
基地局装置では、受信アンテナ４０６を介して、ＳＣ−ＦＤＭＡ信号受信部４０７においてＳＣ−ＦＤＭＡ信号が受信され、ＳＣ−ＦＤＭＡ復調処理が施される。フィルタ部５０３は、受信した上りリンクサブフレームからコードワードを抽出してコードワード処理部４１２に送る。コードワード処理部は、コードワードから受信データを抽出して上位層４１３に送る。より具体的には、コードワード生成部５０８におけるレートマッチング処理、誤り訂正符号化に対応するレートマッチング処理、誤り訂正復号化などが施すことにより受信データを抽出する。フィルタ部４０８内のフィードバック情報抽出部４０９は、フィードバック情報生成部５０７において生成され、上りリンクサブフレーム生成部４０１においてマッピングされたフィードバック情報を、上位層からの指示に従って抽出して復号化し、上位層４１３に送る。ここで、フィルタ部５０３が行うフィルタリング処理では、受信アンテナ４０６毎の受信信号に対して、ＺＦ（Ｚｅｒｏ  Ｆｏｒｃｉｎｇ）やＭＭＳＥ（Ｍｉｎｉｍｕｍ  Ｍｅａｎ  Ｓｑｕａｒｅ  Ｅｒｒｏｒ）やＭＬＤ（Ｍａｘｉｍｕｍ  Ｌｉｋｅｌｉｈｏｏｄ  Ｄｅｔｅｃｔｉｏｎ）などの方法を用いて、コードワード毎の信号を検出する。
【００３４】
図６は、本実施形態に係る部分プレコーダ情報のコードブックの一例である。このコードブックのサイズは４であり、ＰＩ１として４ビットで表すことができるインデクスｉを指定することにより、ｉに対応するＷ１ｉが一意に決定する。
【００３５】
図７は、本実施形態に係る部分プレコーダ情報のコードブックの一例である。このコードブックのサイズは１６であり、ＰＩ２として４ビットで表すことができるインデクスｊを指定することにより、ｊに対応するＷ２ｊが一意に決定する。
【００３６】
好適なプレコーダをＰＩ１が示すＷ１ｉとＰＩ２が示すＷ２ｊとを用いて指定することができる。ここで、好適なプレコーダとしては、例えば、下りリンクの伝搬路を考慮した上で、下りリンクの受信信号電力、下りリンクの受信品質、下りリンクの伝送レートが大きくなるようなプレコーダを採用することができる。なお、図６および図７に示したコードブックは一例であり、この他のコードブックを用いることもできる。例えば、図６および図７に示したコードブックのコードブックサイズとは異なるコードブックサイズのコードブックを用いるもできる。また、ここでは、Ｗ１ｉとＷ２ｊのそれぞれについて１種類ずつのコードブックを示したが、これに限るものではない。例えば、空間多重数（ランク、レイヤ数）毎に、異なるコードブックを用いることができる。この場合、直前に報告したＲＩが示すレイヤ数のコードブックを用いることが好ましい。
【００３７】
より具体的には、好適なプレコーダＦをＦ＝Ａ（ｉ）Ｂ（ｊ）と表現するようにシステムで取り決めておき、ＰＩ１としてｉを、ＰＩ２としてｊを報告する。ここで、Ｆはレイヤ数×アンテナポート数のサイズの行列であり、ＡおよびＢは所定のサイズの行列である。ただし、ここでいう行列とは、ベクトルあるいはスカラーを含む概念である。ＡおよびＢとしては、例えば以下のようなにｉ、ｊを指定することにより一意に決まる任意の行列を用いることができる。
（１）Ａ（ｉ）＝Ｗ１ｉ、Ｂ（ｊ）＝Ｖ１＋Ｖ２Ｗ２ｊとする。ここで、Ｖ１とＶ２は０と１の要素からなる所定の行列、Ｗ１ｉは所定のコードブックで指定される行列、Ｗ２ｊは所定のコードブックで指定されるスカラーである。
（２）Ａ（ｉ）＝Ｗ１ｉ、Ｂ（ｊ）＝Ｗ２ｊとする。ここで、ＷｉおよびＷ２ｊは所定のコードブックで指定される行列である。
（３）Ａ（ｉ）＝［Ｗ１ｉ  Ｗ１ｉ］、Ｂ（ｊ）＝Ｗ２ｊとする。ここで、Ｗ１ｉおよびＷ２ｊは所定のコードブックで指定される行列である。
なお、ここでは、部分プレコーダであるＷ１ｉとＷ２ｊを指定することによりプレコーダＦを指定する場合について説明したが、Ｗ１ｉとＷ２ｊから所定の演算により得られるＡ（ｉ）やＢ（ｊ）を部分プレコーダと呼んでもよい。
【００３８】
図８は、本実施形態に係るプレコーディング処理の概念図である。ここでは、アンテナポート数が４、レイヤ数が２であり、Ｆ＝Ｗ１ｉＷ２ｊの場合について説明する。ＰＩ１が表すプレコーダであるＷ１ｉにより各レイヤの各アンテナポートにおける信号点は変位（ここでは０から２πの範囲で位相が回転）し、さらにＰＩ２が表すプレコーダであるＷ２ｊにより各レイヤの各アンテナポートにおける信号点は変位（ここでは０から２πの範囲で位相が回転）する。なお、図１２に示した信号点の変位は一例であって、これに限るものではない。
【００３９】
端末装置は、まずＰＩ１を報告するに際し、各レイヤの各アンテナポートにおける信号点に対して固有の変位を与えるプレコーダ群からなるコードブックから、好適なプレコーダ（プレコーダをかけた後の信号点が好適であるプレコーダ）を決定する。ここで、ＰＩ１を決定に用いるコードブックは図６に示すようなコードブックを用いる。端末装置は、次にＰＩ２を報告するに際し、報告したＰＩ１が表すプレコーダをかけた後の信号点に対して、さらにプレコーダをかけた後の信号点が好適であるプレコーダをコードブックから決定し、そのインデクスをＰＩ２として報告する。ここで、ＰＩ２を決定に用いるコードブックは図７に示すようなコードブックを用いる。あるいは、端末装置は、ＰＩ２を決定してから、ＰＩ１を決定するようにしてもよいし、ＰＩ１とＰＩ２とを同時に決定することもできる。ＰＩ１とＰＩ２の様々な組み合わせにおいて、Ｗ１ｉとＷ２ｊとを結合させたプレコーダを調査し、その中から好適なプレコーダを表現するＰＩ１とＰＩ２の様々な組み合わせを決定すればよい。
【００４０】
このように、ＰＩ１とＰＩ２とを用いて表現する好適なプレコーダとは、ＰＩ１が表現するプレコーダとＰＩ２が表現するプレコーダとを結合したプレコーダとしても表現することができる。なお、ここではプレコーダの結合として、Ｆ＝Ａ（ｉ）Ｂ（ｊ）と表現するようにシステムで取り決めておく場合について説明したが、Ｆ＝Ｂ（ｉ）Ａ（ｊ）やＦ＝Ｋ（Ａ（ｉ）、Ｂ（ｊ））と表現するような場合など、その他のプレコーダの結合方法をシステムで取り決めておいても同様の効果を得ることができる。なお、Ｋ（Ｘ、Ｙ）は行列Ｘと行列Ｙとのクロネッカー積を表す演算子である。
【００４１】
図９は、本実施形態に係るプロシージャの一例を示している。図９に示したプロシージャは、ＲＩ・ＰＩ１・ＰＩ２・Ｗ−ＣＱＩ（Ｗｉｄｅｂａｎｄ  ＣＱＩ）を周期的にフィードバックする周期的フィードバックモード（第１のフィードバックモード）におけるプロシージャの一例である。なお、Ｗ−ＣＱＩはシステム帯域幅（コンポーネントキャリア帯域幅）を代表する１つのＣＱＩである。また、ここでいうフィードバックモードは、端末装置から基地局装置にフィードバックする受信品質情報のコンテンツの組み合わせ、それぞれのコンテンツの測定あるいは生成方法、およびそれぞれのコンテンツのフィードバック方法あるいはフィードバックに用いるリソースなどの設定を含む。まず、基地局はＲＲＣシグナリングを介して、端末装置におけるフィードバックのパラメータを設定し、周期的なフィードバックを指示する（ステップＳ９０１）。周期的なフィードバックを指示された端末装置は、設定されたフィードバックのパラメータに従いＲＩおよびＰＩ１（ステップＳ９０２）とＰＩ２およびＷ−ＣＱＩ（ステップＳ９０３）とをそれぞれ周期的に基地局装置に物理上りリンク制御チャネルを介して報告する。Ｓ−ＣＱＩ（Ｓｕｂｂａｎｄ−ＣＱＩ）を周期的にフィードバックするフィードバックモードの場合は、さらにＳ−ＣＱＩを周期的に報告する。ここで、Ｓ−ＣＱＩは、システム帯域幅（コンポーネントキャリア帯域幅）を複数の狭帯域に分割し、分割された帯域ＢＰ（Ｂａｎｄｗｉｄｔｈ  Ｐａｒｔ）を代表するＣＱＩである。なお、ここではステップＳ９０１における端末装置におけるフィードバックのパラメータを設定、および周期的なフィードバックの指示をＲＲＣシグナリングで行う例について説明するが、これに限るものではない。例えば、物理下りリンク制御チャネルを介した動的なシグナリングなどで、パラメータを設定あるいは周期的なフィードバックの指示を行うようにしても同様の効果を得ることができる。
【００４２】
図１０は、本実施形態に係るフィードバックモードの一例を示している。図１０に示したフィードバックモードは図９に示したプロシージャによるフィードバックモードである。このフィードバックモードでは、周期的にＲＩ、ＰＩ１、ＰＩ２、Ｗ−ＣＱＩの報告を行う。より具体的には、周期１のサブフレーム（第１のタイミング）において、Ｗ−ＣＱＩとＰＩ２をフィードバックし、周期１よりも長い周期である周期２のサブフレーム（第２のタイミング）においてＲＩとＰＩ１をフィードバックする。また、ＲＩとＰＩ１を報告するサブフレーム（第２のタイミング）は、Ｗ−ＣＱＩとＰＩ２を報告するサブフレーム（第１のタイミング）から、所定のオフセット値だけオフセットされる。基地局装置は、図９に示すステップＳ９０１におけるシグナリングにより、周期１・周期２・オフセット値などのパラメータを指定する。これにより、物理上りリンク制御チャネルの周期的なリソースを端末装置に設定することができる。
【００４３】
次に、周期的フィードバックモードにおけるフィードバック情報（上りリンク制御情報）の生成について説明する。図１１は、本実施形態に係るフィードバック情報生成部５０７の内部処理（プロセス）の一例を示している。フィードバック情報生成部５０７の内部処理は、下りリンク参照信号を用いてＲＩ・ＰＩ１・ＰＩ２・Ｗ−ＣＱＩを算出する受信品質情報算出処理１１０１、ＲＩとＰＩ１とを用いてフィードバック情報Ａを算出する符号化処理１１０２、ＰＩ２とＷ−ＣＱＩとを用いてフィードバック情報Ｂを算出する符号化処理１１０３を含む。以下では、ＲＩが３ビット、ＰＩ１が２ビット、ＰＩ２が４ビット、Ｗ−ＣＱＩが４ビットまたは７ビットの場合について説明する。また、一般的な周期的なフィードバック情報の報告に用いる物理上りリンク制御チャネルの容量が２０ビットであるものとして説明する。なお、ここに挙げた情報量および制御チャネルの容量は一例であり、当然、他の値を用いることもできる。
【００４４】
受信品質情報算出処理１１０１では、下りリンク参照信号から、所定の品質を満たしつつ、高い伝送レートが得られる好適なランク（ランク１からランク８のいずれか）を示すＲＩを算出する。また、上記のような方法でＰＩ１を算出する。さらに、上記のような方法でＰＩ２を算出し、ＰＩ１とＰＩ２により指定されるプレコーダを用いた場合に、所定の品質を満たしつつ、高い伝送レートが得られる好適な伝送レートを示すＷ−ＣＱＩを算出する。ここで、下りリンクで送信するコードワード数が１つの場合には、このコードワードの伝送レートを示すＷ−ＣＱＩを４ビットで表現し、下りリンクで送信するコードワード数が２つの場合には、一方のコードワードの伝送レートを示す指標を４ビット、他方のコードワードの伝送レートを示す指標を３ビットの合計７ビットでＷ−ＣＱＩを表現する。
【００４５】
符号化処理１１０２では、まずＲＩの３ビットとＰＩ１の２ビットを結合して５ビットの系列を生成し、結合した系列に対して誤り訂正符号化することにより、２０ビットの符号化ビット系列であるフィードバック情報Ａを生成する。同様に、符号化処理１１０３では、まずＰＩ２の４ビットとＷ−ＣＱＩの３ビットあるいは７ビットを結合して７ビットあるいは１１ビットの系列を生成し、結合した系列に対して誤り訂正符号化することにより、２０ビットの符号化ビット系列であるフィードバック情報Ｂを生成する。
【００４６】
上りリンクサブフレーム生成部５０９は、上位層５０６から周期的フィードバックモードによるフィードバック情報が多重されるサブフレームを指定される。ＲＩおよびＰＩ１を報告するサブフレームであれば、フィードバック情報Ａを上りリンクサブフレームに多重し、ＰＩ２およびＷ−ＣＱＩを報告するサブフレームであれば、フィードバック情報Ｂを上りリンクサブフレームに多重する。
【００４７】
基地局装置のフィードバック情報抽出部４０９は、上位層４１３から周期的フィードバックモードによるフィードバック情報が多重されるサブフレームを指定される。ＲＩおよびＰＩ１が報告されるサブフレームであれば、符号化処理１１０２に対応する復号化処理を行い、ＲＩおよびＰＩ１を検出する。ＰＩ２およびＷ−ＣＱＩが報告されるサブフレームであれば、符号化処理１１０３に対応する復号化処理を行い、ＰＩ２およびＷ−ＣＱＩを検出する。
【００４８】
このように、ＲＩとＰＩ１をまとめて符号化し、ＰＩ２とＷ−ＣＱＩをまとめて符号化する。これにより、サブフレーム内で符号化が完結するため、基地局装置あるいは端末装置がサブフレーム毎に逐次的な処理を行うことができる。また、サブフレーム毎の処理量を軽減することができる。さらに符号化に入力するビット数が多くなるため、大きな符号化利得を得ることができる。
【００４９】
図１２は、本実施形態に係るフィードバック情報生成部５０７の内部処理の他の一例を示している。フィードバック情報生成部５０７の内部処理は、下りリンク参照信号を用いてＲＩとＰＩ１の組み合わせである（ＲＩ，ＰＩ１）・ＰＩ２・Ｗ−ＣＱＩを算出する受信品質情報算出処理１２０１、（ＲＩ，ＰＩ１）を用いてフィードバック情報Ｃを算出する符号化処理１２０２、ＰＩ２とＷ−ＣＱＩとを用いてフィードバック情報Ｂを算出する符号化処理１２０３を含む。また、  受信品質情報算出処理１２０１は（ＲＩ，ＰＩ１）テーブル１２０４を参照する。なお、符号化処理１２０３は図１１における符号化処理１１０３と同様の処理でよい。
【００５０】
図１３は、ランクと部分プレコーダの組み合わせを指定するためのテーブルを示している。このテーブルは、受信品質情報算出処理１２０１において参照される（ＲＩ，ＰＩ１）テーブル１２０４の一例である。４ビットで表現されるインデクスのそれぞれに対応して、ランクと部分プレコーダが指定される。なお、ここで示される部分プレコーダは図６のコードブックに含まれる部分プレコーダである。ランクに応じて部分プレコーダの分解能（表現できる部分プレコーダの種類数）が異なる。例えば、ランク２やランク３では、Ｗ１として４種類の部分プレコーダを指定することができるが、ランク５からランク８では、Ｗ１として１種類の部分プレコーダが選択される。なお、前述のとおり、図６のコードブックに代えて、ランクに依存したコードブックを用いることもできる。その場合は、図１３の右列の部分プレコーダを、中列のランクによって異なるコードブックから選択するようにすればよい。
【００５１】
受信品質情報算出処理１２０１では、下りリンク参照信号から、所定の品質を満たしつつ、ＲＩとＰＩ１を算出するに際し、（ＲＩ，ＰＩ１）テーブルに規定されたＲＩとＰＩ１の組み合わせの中から１つの組み合わせを選択する。さらに、上記のような方法でＰＩ２とＣＱＩを算出する。
【００５２】
符号化処理１２０２では、まずＲＩとＰＩ１の組み合わせを示す４ビットの系列に対して誤り訂正符号化することにより、２０ビットの符号化ビット系列であるフィードバック情報Ｃを生成する。なお、ここでは前述のＲＩとＰＩ１に要する合計のビット数である５ビットより少ないビット数を用いる場合について説明するが、これに限るものではない。ＲＩとＰＩ１の組み合わせを表現するビット数が、ＲＩとＰＩ１のそれぞれを表現するビット数の合計と同じ、あるいは多く設定するようにしてもよい。
【００５３】
上りリンクサブフレーム生成部５０９は、上位層５０６から周期的フィードバックモードによるフィードバック情報が多重されるサブフレームを指定される。ＲＩおよびＰＩ１を報告するサブフレームであれば、フィードバック情報Ｃを上りリンクサブフレームに多重し、ＰＩ２およびＷ−ＣＱＩを報告するサブフレームであれば、フィードバック情報Ｂを上りリンクサブフレームに多重する。
【００５４】
基地局装置のフィードバック情報抽出部４０９は、上位層４１３から周期的フィードバックモードによるフィードバック情報が多重されるサブフレームを指定される。ＲＩおよびＰＩ１が報告されるサブフレームであれば、符号化処理１２０２に対応する復号化処理を行い、ＲＩおよびＰＩ１を検出する。ＰＩ２およびＷ−ＣＱＩが報告されるサブフレームであれば、符号化処理１２０３に対応する復号化処理を行い、ＰＩ２およびＷ−ＣＱＩを検出する。
【００５５】
このように、ＲＩとＰＩ１の組み合わせを選択し、組み合わせを示す指標を符号化する。これにより、サブフレーム毎の処理量を軽減することができる。また、ランクによって部分プレコーダの分解能を変えるなど、自由度の高いパラメータ設定を行うことができる。
【００５６】
なお、ここまでの説明では、周期的なフィードバックは物理上りリンク制御チャネルを介して行う場合について述べたが、これに限るものではない。例えば、周期的なフィードバックを報告するサブフレームと同じサブフレームで、物理上りリンク共用チャネルが割り当てられている場合は、物理上りリンク共用チャネルを介してフィードバック情報を報告することができる。この場合、後述の非周期的フィードバックモードにおける処理を同様の処理を用いればよい。
【００５７】
図１４は、本実施形態に係るプロシージャの一例を示している。図１４に示したプロシージャは、ＲＩ・ＰＩ１・ＰＩ２・Ｗ−ＣＱＩを非周期的にフィードバックする非周期的フィードバックモード（第２のフィードバックモード）におけるプロシージャの一例である。まず、基地局はＲＲＣシグナリングを介して、端末装置におけるフィードバックのパラメータを設定する（ステップＳ１４０１）。次に、基地局は、非周期的なフィードバックを指示する情報であるＣＱＩリクエストを端末装置に通知する（ステップＳ１４０２）。また、フィードバック情報を同時に報告するリソース（例えば物理上りリンク共用チャネル）を割り当てる。非周期的なフィードバックを指示された端末装置は、設定されたフィードバックのパラメータに従いＲＩ、ＰＩ１、ＰＩ２およびＷ−ＣＱＩを同時に（同じタイミングで）基地局装置に報告する（ステップＳ１４０３）。Ｓ−ＣＱＩをフィードバックする非周期的フィードバックモードの場合は、さらにＳ−ＣＱＩを同時に報告する。ここで、端末装置は、複数の帯域ＢＰのＳ−ＣＱＩを同時に報告する。なお、ここではステップＳ１４０２における端末装置におけるＣＱＩリクエストの通知を物理下りリンク制御チャネルを介した動的なシグナリングで行う例について説明するが、これに限るものではない。例えば、ＲＲＣシグナリングを介した準静的なシグナリングなどで、非周期的なフィードバックの指示を行うようにしても同様の効果を得ることができる。この場合、さらに報告するサブフレームを指定することが好ましい。
【００５８】
本実施形態に係る非周期的フィードバックモードにおけるフィードバック情報（上りリンク制御情報）の生成は、前述の周期的フィードバックモードにおけるフィードバック情報の生成と同様の方法を用いて行うことができる。より具体的には、フィードバック情報生成部５０７の内部処理のとして図１１あるいは図１２に示した処理を行う。すなわち、ＲＩとＰＩ１をまとめて符号化し、ＰＩ２とＷ−ＣＱＩをまとめて符号化する。ただし、各符号化処理の出力である符号化ビット系列の長さは、周期的フィードバックモードにおける符号化ビット数と異なってもよい。
【００５９】
上りリンクサブフレーム生成部５０９は、上位層５０６から非周期的フィードバックモードによるフィードバック情報が多重されるサブフレームを指定される。指定されたサブフレームにおいて、フィードバック情報Ａまたはフィードバック情報Ｃとフィードバック情報Ｂとを上りリンクサブフレームに多重する。ここで、フィードバック情報Ａまたはフィードバック情報Ｃとフィードバック情報Ｂ、および上りリンクのコードワードであるＣＷ０に対してシンボル系列の並び替えを行い、並び替えたシンボル系列を上りリンクサブフレーム内の物理上りリンク共用チャネルにマッピングする。
【００６０】
図１５は、本実施形態に係るシンボル系列の並び替えとマッピングの一例を示している。図１５に示す並び替えとマッピングは、上りリンクで１つのＣＷ（ＣＷ０）を送信する場合の例である。ＵＬＲＳは、４番目と１１番目のＳＣ−ＦＤＭＡシンボルにマッピングされる。ＲＩとＰＩ１とを符号化したフィードバック情報Ａまたはフィードバック情報Ｃと、ＰＩ２とＣＱＩとを符号化したフィードバック情報Ｂは、図１５に示すような並び替えを行う。
【００６１】
より具体的には、フィードバック情報Ｂは、まずＣＷ０と結合される。このとき、フィードバック情報Ｂ、ＣＷ０の順で結合する。その後、結合されたシンボル系列は系列の先頭から順に、１番目のＳＣ−ＦＤＭＡシンボルの最前方、２番目のＳＣ−ＦＤＭＡシンボルの最前方、・・・、１４番目のＳＣ−ＦＤＭＡシンボルの最前方、１番目のＳＣ−ＦＤＭＡシンボルの前方から２番目、・・・というように、各ＳＣ−ＦＤＭＡシンボルの最前方から順次マッピングされるように並び替えが行われる。フィードバック情報Ａまたはフィードバック情報Ｃは、ＵＬＲＳの近くのＳＣ−ＦＤＭＡシンボルの一部あるいは全部（例えば図１５に示すように２、６、９、１３番目のＳＣ−ＦＤＭＡシンボルの後方）にマッピングされるように並び替え（インタリーブ）が行われる。すなわち、ＰＩ１とＰＩ２とを異なる並べ替えアルゴリズム（インタリーブアルゴリズム）を用いて並べ替える。ここで、結合されたシンボル系列は、フィードバック情報Ａまたはフィードバック情報Ｃをマッピングする位置にマッピングしないようにすることが好ましい。しかし、結合されたシンボル系列は、フィードバック情報Ａまたはフィードバック情報Ｃをマッピングする位置にマッピングするようにしてもよい。この場合、結合されたシンボル系列をフィードバック情報Ｃで上書きするようにすればよい。
【００６２】
図１６は、本実施形態に係るシンボル系列の並び替えとマッピングの他の一例を示している。図１６に示す並び替えとマッピングは、上りリンクで複数のＣＷ（ＣＷ０とＣＷ１）を送信する場合の例である。なお、ここでは、ＣＷ０とＣＷ１は、それぞれレイヤ１とレイヤ２を用いて送信するものとして説明する。ＵＬＲＳは、各レイヤの４番目と１１番目のＳＣ−ＦＤＭＡシンボルにマッピングされる。ＲＩとＰＩ１とを符号化したフィードバック情報Ａまたはフィードバック情報Ｃと、ＰＩ２とＣＱＩとを符号化したフィードバック情報Ｂは、図１６に示すような並び替えを行う。
【００６３】
より具体的には、フィードバック情報Ｂは、まずＣＷ０と結合される。このとき、フィードバック情報Ｂ、ＣＷ０の順で結合する。その後、結合されたシンボル系列は系列の先頭から順に、レイヤ１の１番目のＳＣ−ＦＤＭＡシンボルの最前方、レイヤ１の２番目のＳＣ−ＦＤＭＡシンボルの最前方、・・・、レイヤ１の１４番目のＳＣ−ＦＤＭＡシンボルの最前方、レイヤ１の１番目のＳＣ−ＦＤＭＡシンボルの前方から２番目、・・・というように、ＣＷ０を送信するレイヤの各ＳＣ−ＦＤＭＡシンボルの最前方から順次マッピングされるように並び替えが行われる。一方、ＣＷ１は系列の先頭から順に、レイヤ２の１番目のＳＣ−ＦＤＭＡシンボルの最前方、レイヤ２の２番目のＳＣ−ＦＤＭＡシンボルの最前方、・・・、レイヤ２の１４番目のＳＣ−ＦＤＭＡシンボルの最前方、レイヤ２の１番目のＳＣ−ＦＤＭＡシンボルの前方から２番目、・・・というように、ＣＷ１を送信するレイヤの各ＳＣ−ＦＤＭＡシンボルの最前方から順次マッピングされるように並び替えが行われる。フィードバック情報Ａまたはフィードバック情報Ｃは、すべてのレイヤにおけるＵＬＲＳの近くのＳＣ−ＦＤＭＡシンボルの一部あるいは全部（例えば図１５に示すようにレイヤ１および２の２、６、９、１３番目のＳＣ−ＦＤＭＡシンボルの後方）にマッピングされるように並び替えが行われる。すなわち、ＰＩ１とＰＩ２とを異なる空間多重数で送信（報告）する。
【００６４】
これらの並び替えおよびマッピング処理は、上位層５０６の指示の下で、上りリンクサブフレーム生成部５０９で行われる。一方、基地局装置内のフィードバック情報抽出部４０９は、上位層４１３の指示の下で、上りリンクサブフレーム生成部５０９におけるマッピングに対応したデマッピング、上りリンクサブフレーム生成部５０９における並べ替えを元に戻すような並べ替え処理を行うことにより、フィードバック情報Ａまたはフィードバック情報Ｃとフィードバック情報Ｂとを取得する。これにより、ＲＩやＰＩ１などの重要度の高い情報の検出精度を高めることができるため、受信品質を向上することができる。また、ＰＩ２やＣＱＩなどの情報量が多い情報のダイバーシチ効果を高めることができるため、受信品質を向上することができる。
【００６５】
このように、第１のフィードバックモード（周期的フィードバックモードあるいは物理上りリンク制御チャネルを介してフィードバックするモード）では、ＲＩとＰＩ１とをまとめて符号化した第１のフィードバック情報（フィードバック情報Ａあるいはフィードバック情報Ｃ）と、ＰＩ２とＣＱＩとをまとめて符号化した第２のフィードバック情報（フィードバック情報Ｂ）とを異なるサブフレームで報告する。一方、第２のフィードバックモード（非周期的フィードバックモードあるいは物理上りリンク共用チャネルを介してフィードバックするモード）では、第１のフィードバック情報と第２のフィードバック情報とを同一のサブフレームで報告する。また、第２のフィードバックモードにおいて、第１のフィードバック情報をＵＬＲＳに比較的近い位置のＳＣ−ＦＤＭＡシンボルにマッピングするように並べ替えを行う。これにより、サブフレーム内で符号化が完結するため、基地局装置あるいは端末装置がサブフレーム毎に逐次的な処理を行うことができる。さらに、サブフレーム毎の処理量を軽減することができる。また、ＲＩやＰＩ１などの重要度の高い情報の検出精度を高めることができるため、受信品質を向上することができる。また、ＰＩ２やＣＱＩなどの情報量が多い情報のダイバーシチ効果を高めることができるため、受信品質を向上することができる。
【００６６】
（第２の実施形態）
上記第１の実施形態では、ＲＩとＰＩ１とをまとめて符号化した第１のフィードバック情報と、ＰＩ２とＣＱＩとをまとめて符号化した第２のフィードバック情報を報告する場合について説明した。本発明の第２の実施形態では、ＲＩを符号化した第３のフィードバック情報と、ＰＩ１を符号化した第４のフィードバック情報と、ＰＩ２とＣＱＩとをまとめて符号化した第２のフィードバック情報を報告する場合について説明する。以下、図面を参照して、本発明の第２の実施形態について説明する。
【００６７】
本実施形態に係る基地局装置および端末装置のブロック構成は、図４および図５に示したブロック構成と同様のブロック構成で実現することができる。ただし、フィードバック情報生成部５０７と上りリンクサブフレーム生成部５０９とフィードバック情報抽出部４０９における処理の一部が第１の実施形態とは異なる。
【００６８】
図１７は、本実施形態に係るフィードバック情報生成部５０７の内部処理の一例を示している。この処理は、第１のフィードバックモードおよび第２のフィードバックモードにおけるフィードバック情報生成部５０７の内部処理である。フィードバック情報生成部５０７の内部処理は、下りリンク参照信号を用いてＲＩ・ＰＩ１・ＰＩ２・Ｗ−ＣＱＩを算出する受信品質情報算出処理１７０１、ＲＩを用いてフィードバック情報Ｄ（第３のフィードバック情報）を算出する符号化処理１７０２、ＰＩ１を用いてフィードバック情報Ｅ（第４のフィードバック情報）を算出する符号化処理１７０３、ＰＩ２とＷ−ＣＱＩとを用いてフィードバック情報Ｂを算出する符号化処理１７０４を含む。ここで、受信品質情報算出処理１７０１および符号化処理１７０３は、図１１における受信品質情報算出処理１１０１および符号化処理１１０３と同様の処理である。
【００６９】
符号化処理１７０２では、ＲＩの３ビットに対して誤り訂正符号化することにより、１２ビットの符号化ビット系列であるフィードバック情報Ｄを生成する。同様に、符号化処理１７０３では、ＰＩ１の２ビットに対して誤り訂正符号化することにより、８ビットの符号化ビット系列であるフィードバック情報Ｅを生成する。すなわち、ＲＩとＰＩ１とを個別に符号化する。
【００７０】
周期的フィードバックモードである場合、上りリンクサブフレーム生成部５０９は、上位層５０６から周期的フィードバックモードによるフィードバック情報が多重されるサブフレームを指定される。ＲＩおよびＰＩ１を報告するサブフレームであれば、フィードバック情報Ｄとフィードバック情報Ｅの合計２０ビットを上りリンクサブフレームに多重し、ＰＩ２およびＷ−ＣＱＩを報告するサブフレームであれば、フィードバック情報Ｂを上りリンクサブフレームに多重する。また、基地局装置のフィードバック情報抽出部４０９は、上位層４１３から周期的フィードバックモードによるフィードバック情報が多重されるサブフレームを指定される。ＲＩおよびＰＩ１が報告されるサブフレームであれば、符号化処理１７０２および符号化処理１７０３に対応する復号化処理を行い、ＲＩおよびＰＩ１を検出する。ＰＩ２およびＷ−ＣＱＩが報告されるサブフレームであれば、符号化処理１７０４に対応する復号化処理を行い、ＰＩ２およびＷ−ＣＱＩを検出する。
【００７１】
一方、非周期的フィードバックモードである場合、上りリンクサブフレーム生成部５０９は、上位層５０６から非周期的フィードバックモードによるフィードバック情報が多重されるサブフレームを指定される。受信品質情報を報告するサブフレームであれば、フィードバック情報Ｄとフィードバック情報Ｅおよびフィードバック情報Ｂを上りリンクサブフレームに多重する。また、基地局装置のフィードバック情報抽出部４０９は、上位層４１３から非周期的フィードバックモードによるフィードバック情報が多重されるサブフレームを指定される。受信品質情報が報告されるサブフレームであれば、符号化処理１７０２、符号化処理１７０３および符号化処理１７０４に対応する復号化処理を行い、ＲＩ、ＰＩ１、ＰＩ２およびＷ−ＣＱＩを検出する。ただし、各符号化処理の出力である符号化ビット系列の長さは、周期的フィードバックモードにおける符号化ビット数と異なってもよい。
【００７２】
以上の説明では、第１のフィードバックモードおよび第２のフィードバックモードにおいて、ＲＩを符号化した第３のフィードバック情報と、ＰＩ１を符号化した第４のフィードバック情報と、ＰＩ２とＣＱＩとをまとめて符号化した第２のフィードバック情報を報告する場合について説明した。これの他にも、第１のフィードバックモードにおいて、フィードバック情報生成部５０７と上りリンクサブフレーム生成部５０９とフィードバック情報抽出部４０９はそれぞれ、第１の実施形態における第１のフィードバックモードと同様の処理を行い、第２のフィードバックモードにおいて、ＲＩを符号化した第３のフィードバック情報と、ＰＩ１を符号化した第４のフィードバック情報と、ＰＩ２とＣＱＩとをまとめて符号化した第２のフィードバック情報を報告するようにしてもよい。これにより、第１のフィードバックモードでは情報量を抑制しつつ受信品質を向上することができる一方、第２のフィードバックモードでは自由度の高い部分プレコーダ情報を報告することができる。
【００７３】
図１８は、本実施形態に係るシンボル系列の並び替えとマッピングの一例を示している。図１８に示す並び替えとマッピングは、第２のフィードバックモードにおいて上りリンクで１つのＣＷ（ＣＷ０）を送信する場合の例である。ＵＬＲＳは、４番目と１１番目のＳＣ−ＦＤＭＡシンボルにマッピングされる。ＲＩを符号化したフィードバック情報Ｄと、ＰＩ１を符号化したフィードバック情報Ｅと、ＰＩ２とＣＱＩとを符号化したフィードバック情報Ｂは、図１８に示すような並び替えを行う。
【００７４】
より具体的には、フィードバック情報Ｂは、まずＣＷ０と結合される。このとき、フィードバック情報Ｂ、ＣＷ０の順で結合する。その後、結合されたシンボル系列は系列の先頭から順に、各ＳＣ−ＦＤＭＡシンボルの最前方から順次マッピングされるように並び替えが行われる。フィードバック情報Ｄは、ＵＬＲＳの近くのＳＣ−ＦＤＭＡシンボルの一部あるいは全部（例えば図１５に示すように２、６、９、１３番目のＳＣ−ＦＤＭＡシンボルの後方）にマッピングされるように並び替えが行われる。同様に、フィードバック情報Ｅは、ＵＬＲＳの近くのＳＣ−ＦＤＭＡシンボルの一部あるいは全部（例えば図１５に示すように２、６、９、１３番目のＳＣ−ＦＤＭＡシンボルのＲＩの前方、あるいは３、５、１０、１２番目のＳＣ−ＦＤＭＡシンボルの前方など）にマッピングされるように並び替えが行われる。
【００７５】
図１９は、本実施形態に係るシンボル系列の並び替えとマッピングの他の一例を示している。図１６に示す並び替えとマッピングは、第２のフィードバックモードにおいて上りリンクで複数のＣＷ（ＣＷ０とＣＷ１）を送信する場合の例である。ＵＬＲＳは、各レイヤの４番目と１１番目のＳＣ−ＦＤＭＡシンボルにマッピングされる。フィードバック情報Ｄ、フィードバック情報Ｅおよびフィードバック情報Ｂは、図１９に示すような並び替えを行う。
【００７６】
より具体的には、フィードバック情報Ｂは、まずＣＷ０と結合される。このとき、フィードバック情報Ｂ、ＣＷ０の順で結合する。その後、結合されたシンボル系列は系列の先頭から順に、ＣＷ０を送信するレイヤの各ＳＣ−ＦＤＭＡシンボルの最前方から順次マッピングされるように並び替えが行われる。一方、ＣＷ１は系列の先頭から順に、ＣＷ１を送信するレイヤの各ＳＣ−ＦＤＭＡシンボルの最前方から順次マッピングされるように並び替えが行われる。フィードバック情報Ｄは、すべてのレイヤにおけるＵＬＲＳの近くのＳＣ−ＦＤＭＡシンボルの一部あるいは全部（例えば図１５に示すようにレイヤ１および２の２、６、９、１３番目のＳＣ−ＦＤＭＡシンボルの後方）にマッピングされるように並び替えが行われる。同様に、フィードバック情報Ｅは、すべてのレイヤにおけるＵＬＲＳの近くのＳＣ−ＦＤＭＡシンボルの一部あるいは全部（例えば図１５に示すようにレイヤ１および２の２、６、９、１３番目のＳＣ−ＦＤＭＡシンボルのＲＩの前方）にマッピングされるように並び替えが行われる。
【００７７】
図２０は、本実施形態に係るシンボル系列の並び替えとマッピングの他の一例を示している。図２０に示す並び替えとマッピングは、第２のフィードバックモードにおいて上りリンクで複数のＣＷ（ＣＷ０とＣＷ１）を送信する場合の他の例である。ＵＬＲＳは、各レイヤの４番目と１１番目のＳＣ−ＦＤＭＡシンボルにマッピングされる。フィードバック情報Ｄ、フィードバック情報Ｅおよびフィードバック情報Ｂは、図１９に示すような並び替えを行う。
【００７８】
より具体的には、フィードバック情報Ｂは、まずＣＷ０と結合される。このとき、フィードバック情報Ｂ、ＣＷ０の順で結合する。その後、結合されたシンボル系列は系列の先頭から順に、ＣＷ０を送信するレイヤの各ＳＣ−ＦＤＭＡシンボルの最前方から順次マッピングされるように並び替えが行われる。一方、ＣＷ１は系列の先頭から順に、ＣＷ１を送信するレイヤの各ＳＣ−ＦＤＭＡシンボルの最前方から順次マッピングされるように並び替えが行われる。フィードバック情報Ｄは、すべてのレイヤにおけるＵＬＲＳの近くのＳＣ−ＦＤＭＡシンボルの一部あるいは全部（例えば図１５に示すようにレイヤ１および２の２、６、９、１３番目のＳＣ−ＦＤＭＡシンボルの後方）にマッピングされるように並び替えが行われる。一方、フィードバック情報Ｅは、ＣＷ０を送信するレイヤにおけるＵＬＲＳの近くのＳＣ−ＦＤＭＡシンボルの一部あるいは全部（例えば図１５に示すようにレイヤ１および２の２、６、９、１３番目のＳＣ−ＦＤＭＡシンボルのＲＩの前方）にマッピングされるように並び替えが行われる。あるいは、ＣＷ１を送信するレイヤ（ＣＱＩを結合するＣＷではないＣＷを送信するレイヤ）におけるＵＬＲＳの近くのＳＣ−ＦＤＭＡシンボルの一部あるいは全部にマッピングされるように並び替えてもよい。これにより、ＣＷ０のビット数が過度に少なくなることを防ぐことができる。
【００７９】
これらの並び替えおよびマッピング処理は、上位層５０６の指示の下で、上りリンクサブフレーム生成部５０９で行われる。一方、基地局装置内のフィードバック情報抽出部４０９は、上位層４１３の指示の下で、上りリンクサブフレーム生成部５０９におけるマッピングに対応したデマッピング、上りリンクサブフレーム生成部５０９における並べ替えを元に戻すような並べ替え処理を行うことにより、フィードバック情報Ｄ、フィードバック情報Ｅおよびフィードバック情報Ｂを取得する。これにより、ＲＩやＰＩ１などの重要度の高い情報の検出精度を高めることができるため、受信品質を向上することができる。また、ＰＩ２やＣＱＩなどの情報量が多い情報のダイバーシチ効果を高めることができるため、受信品質を向上することができる。
【００８０】
ここで、結合されたシンボル系列は、フィードバック情報Ｄおよびフィードバック情報Ｅをマッピングする位置にマッピングしないようにすることが好ましい。しかし、結合されたシンボル系列は、フィードバック情報Ｄとフィードバック情報Ｅの両方あるいは一方（例えばフィードバック情報Ｅ）をマッピングする位置にマッピングするようにしてもよい。この場合、結合されたシンボル系列をフィードバック情報Ｄとフィードバック情報Ｅの両方あるいは一方（例えばフィードバック情報Ｅ）で上書きするようにすればよい。
【００８１】
このように、第１のフィードバックモード（周期的フィードバックモードあるいは物理上りリンク制御チャネルを介してフィードバックするモード）では、ＲＩを符号化した第４のフィードバック情報（フィードバック情報Ｄ）およびＰＩ１を符号化した第５のフィードバック情報（フィードバック情報Ｅ）と、ＰＩ２とＣＱＩとをまとめて符号化した第２のフィードバック情報（フィードバック情報Ｂ）とを異なるサブフレームで報告する。あるいは、ＲＩとＰＩ１とをまとめて符号化した第１のフィードバック情報（フィードバック情報Ａあるいはフィードバック情報Ｃ）と、ＰＩ２とＣＱＩとをまとめて符号化した第２のフィードバック情報（フィードバック情報Ｂ）とを異なるサブフレームで報告する。一方、第２のフィードバックモード（非周期的フィードバックモードあるいは物理上りリンク共用チャネルを介してフィードバックするモード）では、第４のフィードバック情報と第５のフィードバック情報と第２のフィードバック情報とを同一のサブフレームで報告する。また、第２のフィードバックモードにおいて、第４のフィードバック情報や第５のフィードバック情報をＵＬＲＳに比較的近い位置のＳＣ−ＦＤＭＡシンボルにマッピングするように並べ替えを行う。これにより、サブフレーム内で符号化が完結するため、基地局装置あるいは端末装置がサブフレーム毎に逐次的な処理を行うことができる。さらに、サブフレーム毎の処理量を軽減することができる。また、ＲＩやＰＩ１などの重要度の高い情報の検出精度を高めることができるため、受信品質を向上することができる。また、ＰＩ２やＣＱＩなどの情報量が多い情報のダイバーシチ効果を高めることができるため、受信品質を向上することができる。
【００８２】
（第３の実施形態）
上記第１の実施形態では、ＲＩとＰＩ１とをまとめて符号化した第１のフィードバック情報と、ＰＩ２とＣＱＩとをまとめて符号化した第２のフィードバック情報を報告する場合について説明した。本発明の第３の実施形態では、第２のフィードバックモードにおいて、ＲＩを符号化した第３のフィードバック情報と、ＰＩ１とＰＩ２とＣＱＩとをまとめて符号化した第６のフィードバック情報を報告する場合について説明する。以下、図面を参照して、本発明の第３の実施形態について説明する。
【００８３】
本実施形態に係る基地局装置および端末装置のブロック構成は、図４および図５に示したブロック構成と同様のブロック構成で実現することができる。ただし、フィードバック情報生成部５０７と上りリンクサブフレーム生成部５０９とフィードバック情報抽出部４０９における処理の一部が第１の実施形態とは異なる。
【００８４】
本実施形態に係る第１のフィードバックモードにおいて、フィードバック情報生成部５０７と上りリンクサブフレーム生成部５０９とフィードバック情報抽出部４０９はそれぞれ、第１の実施形態あるいは第２の実施形態における第１のフィードバックモードと同様の処理を行う。
【００８５】
図２１は、本実施形態に係るフィードバック情報生成部５０７の内部処理の一例を示している。この処理は、第２のフィードバックモードにおけるフィードバック情報生成部５０７の内部処理である。フィードバック情報生成部５０７の内部処理は、下りリンク参照信号を用いてＲＩ・ＰＩ１・ＰＩ２・Ｗ−ＣＱＩを算出する受信品質情報算出処理２１０１、ＲＩを用いてフィードバック情報Ｄ（第３のフィードバック情報）を算出する符号化処理２１０２、ＰＩ１とＰＩ２とＷ−ＣＱＩとを用いてフィードバック情報Ｆ（第６のフィードバック情報）を算出する符号化処理２１０３とを含む。ここで、受信品質情報算出処理２１０１および符号化処理２１０２はそれぞれ、図１１における受信品質情報算出処理１１０１および図１７における符号化処理１７０２と同様の処理である。符号化処理１７０３では、ＰＩ１の２ビットとＰＩ２の４ビットとＷ−ＣＱＩの４または７ビットを結合し、結合したビット系列に対して誤り訂正符号化することにより符号化ビット系列であるフィードバック情報Ｆを生成する。ただし、符号化ビット系列のビット数は、第１のフィードバックモードと異なるようにしてもよい。
【００８６】
図２２は、本実施形態に係るシンボル系列の並び替えとマッピングの一例を示している。図２２に示す並び替えとマッピングは、第２のフィードバックモードにおいて上りリンクで１つのＣＷ（ＣＷ０）を送信する場合の例である。ＵＬＲＳは、４番目と１１番目のＳＣ−ＦＤＭＡシンボルにマッピングされる。ＲＩを符号化したフィードバック情報Ｄと、ＰＩ１とＰＩ２とＣＱＩとを符号化したフィードバック情報Ｆは、図１８に示すような並び替えを行う。
【００８７】
より具体的には、フィードバック情報Ｆは、まずＣＷ０と結合される。このとき、フィードバック情報Ｆ、ＣＷ０の順で結合する。その後、結合されたシンボル系列は系列の先頭から順に、各ＳＣ−ＦＤＭＡシンボルの最前方から順次マッピングされるように並び替えが行われる。フィードバック情報Ｄは、ＵＬＲＳの近くのＳＣ−ＦＤＭＡシンボルの一部あるいは全部（例えば図１５に示すように２、６、９、１３番目のＳＣ−ＦＤＭＡシンボルの後方）にマッピングされるように並び替えが行われる。
【００８８】
図２３は、本実施形態に係るシンボル系列の並び替えとマッピングの他の一例を示している。図２３に示す並び替えとマッピングは、第２のフィードバックモードにおいて上りリンクで複数のＣＷ（ＣＷ０とＣＷ１）を送信する場合の例である。ＵＬＲＳは、各レイヤの４番目と１１番目のＳＣ−ＦＤＭＡシンボルにマッピングされる。フィードバック情報Ｄおよびフィードバック情報Ｆは、図２３に示すような並び替えを行う。
【００８９】
より具体的には、フィードバック情報Ｆは、まずＣＷ０と結合される。このとき、フィードバック情報Ｆ、ＣＷ０の順で結合する。その後、結合されたシンボル系列は系列の先頭から順に、ＣＷ０を送信するレイヤの各ＳＣ−ＦＤＭＡシンボルの最前方から順次マッピングされるように並び替えが行われる。一方、ＣＷ１は系列の先頭から順に、ＣＷ１を送信するレイヤの各ＳＣ−ＦＤＭＡシンボルの最前方から順次マッピングされるように並び替えが行われる。フィードバック情報Ｄは、すべてのレイヤにおけるＵＬＲＳの近くのＳＣ−ＦＤＭＡシンボルの一部あるいは全部（例えば図１５に示すようにレイヤ１および２の２、６、９、１３番目のＳＣ−ＦＤＭＡシンボルの後方）にマッピングされるように並び替えが行われる。
【００９０】
これらの並び替えおよびマッピング処理は、上位層５０６の指示の下で、上りリンクサブフレーム生成部５０９で行われる。一方、基地局装置内のフィードバック情報抽出部４０９は、上位層４１３の指示の下で、上りリンクサブフレーム生成部５０９におけるマッピングに対応したデマッピング、上りリンクサブフレーム生成部５０９における並べ替えを元に戻すような並べ替え処理を行うことにより、フィードバック情報Ｄおよびフィードバック情報Ｆを取得する。これにより、ＲＩなどの重要度の高い情報の検出精度を高めることができるため、受信品質を向上することができる。また、ＰＩ２やＣＱＩなどの情報量が多い情報のダイバーシチ効果を高めることができるため、受信品質を向上することができる。
【００９１】
このように、第１のフィードバックモード（周期的フィードバックモードあるいは物理上りリンク制御チャネルを介してフィードバックするモード）では、ＲＩとＰＩ１とをまとめて符号化した第１のフィードバック情報（フィードバック情報Ａあるいはフィードバック情報Ｃ）と、ＰＩ２とＣＱＩとをまとめて符号化した第２のフィードバック情報（フィードバック情報Ｂ）とを異なるサブフレームで報告する。あるいは、ＲＩを符号化した第４のフィードバック情報（フィードバック情報Ｄ）およびＰＩ１を符号化した第５のフィードバック情報（フィードバック情報Ｅ）と、ＰＩ２とＣＱＩとをまとめて符号化した第２のフィードバック情報（フィードバック情報Ｂ）とを異なるサブフレームで報告する。一方、第２のフィードバックモード（非周期的フィードバックモードあるいは物理上りリンク共用チャネルを介してフィードバックするモード）では、第４のフィードバック情報と、ＰＩ１とＰＩ２とＣＱＩとをまとめて符号化した第６のフィードバック情報（フィードバック情報Ｆ）とを同一のサブフレームで報告する。また、第２のフィードバックモードにおいて、第４のフィードバック情報をＵＬＲＳに比較的近い位置のＳＣ−ＦＤＭＡシンボルにマッピングするように並べ替えを行う。これにより、サブフレーム内で符号化が完結するため、基地局装置あるいは端末装置がサブフレーム毎に逐次的な処理を行うことができる。さらに、サブフレーム毎の処理量を軽減することができる。また、ＲＩやＰＩ１などの重要度の高い情報の検出精度を高めることができるため、受信品質を向上することができる。また、ＰＩ２やＣＱＩなどの情報量が多い情報のダイバーシチ効果を高めることができるため、受信品質を向上することができる。
【００９２】
また、第１のフィードバックモードと第２のフィードバックモードで、受信品質情報の符号化処理の単位（符号化単位）を切り替えることにより、それぞれのフィードバックモードに適した符号化性能を得ることが可能となる。
【００９３】
（第４の実施形態）
上記各実施形態では、１つのセルにおける受信品質情報を報告する場合について説明した。本発明の第４の実施形態では、複数のセルにおける受信品質情報を報告する場合について説明する。以下、図面を参照して、本発明の第４の実施形態について説明する。
【００９４】
図２４は、本実施形態に係るセル構成の一例を示している。端末装置は、それぞれ異なる３つの下りリンクコンポーネントキャリアにおいてカバーされているセル（Ｃｅｌｌ＃０、Ｃｅｌｌ＃１、Ｃｅｌｌ＃２）に接続しており、３つの下りリンク（Ｃｅｌｌ＃０−ＤＬ、Ｃｅｌｌ＃１−ＤＬ、Ｃｅｌｌ＃２−ＤＬ）における受信品質情報を１つの上りリンク（Ｃｅｌｌ＃１−ＵＬ）で報告する。
【００９５】
図２５は、本実施形態に係るセル構成の他の一例を示している。端末装置は、それぞれ異なる３つの送信点（送信点０、送信点１、送信点２）においてカバーされているセル（Ｃｅｌｌ＃０、Ｃｅｌｌ＃１、Ｃｅｌｌ＃２）に接続しており、３つの下りリンク（Ｃｅｌｌ＃０−ＤＬ、Ｃｅｌｌ＃１−ＤＬ、Ｃｅｌｌ＃２−ＤＬ）における受信品質情報を１つの上りリンク（Ｃｅｌｌ＃１−ＵＬ）で報告する。
【００９６】
基地局装置は、端末装置に対して、Ｃｅｌｌ＃０、Ｃｅｌｌ＃１、Ｃｅｌｌ＃２のそれぞれに、フィードバックモードを設定する。ここで、フィードバックモードはセル毎に個別に設定しても良いし、共通して設定しても良い。Ｃｅｌｌ＃０、Ｃｅｌｌ＃１、Ｃｅｌｌ＃２のすべてにおいて第１のフィードバックモード（周期的フィードバックモードあるいは物理上りリンク制御チャネルを介してフィードバックするモード）が設定された場合は、Ｃｅｌｌ＃０、Ｃｅｌｌ＃１、Ｃｅｌｌ＃２のそれぞれにおけるＲＩとＰＩ１あるいはＰＩ２とＣＱＩを符号化したフィードバック情報を、それぞれ異なるサブフレームで報告する。このとき、ＲＩとＰＩ１あるいはＰＩ２とＣＱＩを符号化としては、上記各実施形態で説明した方法を用いることができる。一方、Ｃｅｌｌ＃０、Ｃｅｌｌ＃１、Ｃｅｌｌ＃２のいずれかにおいて第２のフィードバックモード（非周期的フィードバックモードあるいは物理上りリンク共用チャネルを介してフィードバックするモード）が設定された場合は、Ｃｅｌｌ＃０、Ｃｅｌｌ＃１、Ｃｅｌｌ＃２のそれぞれにおけるＲＩとＰＩ１あるいはＰＩ２とＣＱＩを符号化したフィードバック情報を同一のサブフレームで報告する。ここで、各フィードバック情報の並べ替えおよびマッピングの方法としては、まず各セルにおけるフィードバック情報のうち、同じコンテンツからなるフィードバック情報を結合し、結合したフィードバック情報に対して上記各実施形態で説明したような並び替えおよびマッピングを適用すればよい。これにより、複数のセルにおける受信品質情報を報告する場合においても、サブフレーム内で符号化が完結するため、基地局装置あるいは端末装置がサブフレーム毎に逐次的な処理を行うことができる。さらに、サブフレーム毎の処理量を軽減することができる。また、ＲＩやＰＩ１などの重要度の高い情報の検出精度を高めることができるため、受信品質を向上することができる。また、ＰＩ１やＰＩ２やＣＱＩなどの情報量が多い情報のダイバーシチ効果を高めることができるため、受信品質を向上することができる。
【００９７】
なお、ここでは異なるコンポーネントキャリアあるいは異なる送信点に対応する複数のセルにおける受信品質情報を報告する場合について説明したが、これに限るものではない。この他の方法で規定された複数のセルにも、同様に適用することができる。また、１つの上りリンクで受信品質情報を報告する場合について説明したが、これに限るものではない。２つ以上の上りリンクで受信品質情報を報告する場合であっても、１つの上りリンクに着目することで、本発明を適用することができる。
【００９８】
なお、上記各実施形態では、好適なプレコーダを基地局に報告する場合について説明したが、不適なプレコーダを報告する場合に関しても、同様の処理を用いることにより、基地局でのプレコーディング処理を効率的に行うことができる。この場合、例えば、伝搬路を考慮した上で、受信信号電力が小さくなるようなプレコーダをコードブックから選択するという方法などを用いることができる。
【００９９】
なお、基地局装置の全部または一部、あるいは端末装置の全部または一部との機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【０１００】
また、「コンピュータシステム」は、ＷＷＷシステムを利用している場合であれば、ホームページ提供環境（あるいは表示環境）も含むものとする。
【０１０１】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１０２】
また、基地局装置の全部または一部と、端末装置の全部または一部との機能を集積回路に集約して実現してもよい。基地局装置、及び端末装置の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１０３】
以上、この発明の実施形態を図面を参照して詳述してきたが、具体的な構成はこの実施形態に限られるものではなく、この発明の要旨を逸脱しない範囲の設計変更等も含まれる。
【産業上の利用可能性】
【０１０４】
本発明は、無線基地局装置や無線端末装置や無線通信システムや無線通信方法に用いて好適である。
【符号の説明】
【０１０５】
１０１…基地局装置
１０２…端末装置
１０３…下りリンク送信信号
１０４…フィードバック情報
４０１…下りリンクサブフレーム生成部
４０２…物理下りリンク制御チャネル生成部
４０３…下り参照信号生成部
４０４…ＯＦＤＭ信号送信部
４０５…送信アンテナ
４０６…受信アンテナ
４０７…ＳＣ−ＦＤＭＡ信号受信部
４０８…フィルタ部
４０９…フィードバック情報抽出部
４１０…コードワード処理部
４１１…上位層
５０１…受信アンテナ
５０２…ＯＦＤＭ信号受信部
５０３…下りリンクサブフレーム処理部
５０４…下り参照信号抽出部
５０５…物理下りリンク制御チャネル抽出部
５０６…上位層
５０７…フィードバック情報生成部
５０８…コードワード生成部
５０９…上りリンクサブフレーム生成部
５１０…上り参照信号生成部
５１１…ＳＣ−ＦＤＭＡ信号送信部
５１２…送信アンテナ
１１０１、１２０１、１７０１、２１０１…受信品質情報算出処理
１１０２、１１０３、１２０２、１２０３、１７０２、１７０３、１７０４、２１０２、２１０３…符号化処理
１２０４…（ＲＩ，ＰＩ１）テーブル
【図１】
0005324526.tif 000002
【図２】
0005324526.tif 000003
【図３】
0005324526.tif 000004
【図４】
0005324526.tif 000005
【図５】
0005324526.tif 000006
【図６】
0005324526.tif 000007
【図７】
0005324526.tif 000008
【図８】
0005324526.tif 000009
【図９】
0005324526.tif 000010
【図１０】
0005324526.tif 000011
【図１１】
0005324526.tif 000012
【図１２】
0005324526.tif 000013
【図１３】
0005324526.tif 000014
【図１４】
0005324526.tif 000015
【図１５】
0005324526.tif 000016
【図１６】
0005324526.tif 000017
【図１７】
0005324526.tif 000018
【図１８】
0005324526.tif 000019
【図１９】
0005324526.tif 000020
【図２０】
0005324526.tif 000021
【図２１】
0005324526.tif 000022
【図２２】
0005324526.tif 000023
【図２３】
0005324526.tif 000024
【図２４】
0005324526.tif 000025
【図２５】
0005324526.tif 000026
【図２６】
0005324526.tif 000027